(57)【要約】【課題】グリルを無くしたキッチン用キャビネットの引出しスペースを有効に利用する観点から考え出されたトレーによって、調味料類の小瓶の振り出し口への目詰まりや内部側面への固着、及び横転による弊害を防止する。【解決手段】キッチンキャビネットの引出し本体に設置するトレーであって、手前が低く奥が高い傾斜底面を有し、円柱状体の調味料やスパイス等の小瓶の振り出し口を斜め上に向けて収納することにより、小瓶振り出し口への調味料の目詰まり及び内部側面への調味料の固着を防止することができるトレー。【選択図】      図６
2006181134.tif 000002
【特許請求の範囲】
【請求項１】
引出し本体に設置するトレーであって、手前が低く奥が高い傾斜底面を有するトレー。
【請求項２】
当該傾斜底面の最大傾斜方向に対し直角方向への収納物の移動を防止する突起を有する請求項１に記載のトレー。
【請求項３】
プラスチック製である請求項１又は２に記載のトレー。
【請求項４】
手前が低く奥が高い傾斜面をプラスチック製底板上面に形成した引出し。
【発明の詳細な説明】
【技術分野】
【０００１】
本発明は、引出し本体に設置するトレーに関する。
【０００２】
より詳しくは、本発明はキッチンの引出し等の高さの低い引出し本体に設置し、主に調味料やスパイス等用円柱容器を立てないで収納するためのトレーに関する。
【背景技術】
【０００３】
におい、手入れの煩等の理由により魚焼きグリルをほとんど使用しない家庭が増えている。そのため魚焼きグリルの無いコンロ付きキッチン用キャビネットが求められている。
本来グリルのあるべきスペースを使って引出しを設置しようとする場合、構造上、グリルのサイドに位置していた引出しよりも高さを低くせざるを得ない。（約８ｃｍ前後）。従って、上記引出しに、スーパーマーケット等で市販されている円柱状体の調味料の小瓶（通常の寸法：高さ約８〜１０ｃｍ、直径約４〜５ｃｍ）を収納する場合は、小瓶を底面に平行になるように横に寝かせて収納することが多い。
【発明の開示】
【発明が解決しようとする課題】
【０００４】
上記の方法によれば時間の経過により、小瓶の振り出し口に調味料が目詰まりし、小瓶内部側面に調味料が広がって固着する。
小瓶の振り出し口に調味料が目詰まりすると、調理開始後に適時に迅速に調味料を加えることができず、タイミングが遅れることにより料理の味に影響を来たし、十分に素材の旨みを引き出せない、等の問題を生じる。
小瓶の内部側面に調味料が固着すると、内容物が見えにくい、他の調味料類との識別が困難、購入した調味料が使えず不経済、残量が一目で把握しづらい、等の問題を生じる。
【０００５】
また、調味料が小瓶の振り出し口に目詰まりしたり、内部側面に固着したりすると、使用時に、振り出し口に詰まった調味料を爪楊枝を刺して取り除く、中蓋を開けて内部側面に固着した調味料を箸の先でこそぎ落とす、小瓶の底面を調理台の上で叩く、等の余分な作業が必要になる。余分な作業負担により効率の良い調理作業の動線を阻害する、等の問題も生じる。
【０００６】
さらに上記の問題の他、円柱形状の小瓶はその形状ゆえに、引出しを開閉する都度、内部を横転し、引出し内部の収納物が把握しづらい、整然とした収納を実現できない、等の問題も生じる。
【０００７】
本発明の目的は、グリルを無くしたキッチン用キャビネットの引出しスペースを有効に利用する観点から考え出されたトレーによって、調味料類の小瓶の振り出し口への目詰まりや内部側面への固着、及び横転による上記弊害を防止することである。
【課題を解決するための手段】
【０００８】
前記目的に対応して、本発明は上記弊害を除去し、調理作業の円滑化、円柱状体調味料等の快適な収納を実現しようというものである。
【０００９】
本発明のトレーによれば、調味料類の小瓶の振り出し口を引出しの奥行き方向へ斜め上に向けて収納することができる。これにより従来方法に起因する弊害を防止し、小瓶の振り出し口への調味料の目詰まり及び内部側面への調味料の固着を防止し、整然とした収納を実現することができる。
【発明の効果】
【００１０】
本発明のトレーの利点は、小瓶の振り出し口への調味料の目詰まりを防止し、調理開始後であっても適時に迅速に調味料を加えられることである。
また、調味料を適切な時期に料理素材に加え、素材の持ち味を十分に引き出せることである。
【００１１】
本発明のトレーのもう一つの利点は、小瓶の内部側面への調味料の固着を防止し、内容物を容易に把握できることである。さらに、他の調味料との識別が容易にできることである。
【００１２】
本発明のトレーのもう一つの利点は、小瓶の振り出し口への調味料の目詰まり及び小瓶の内部側面への調味料の固着を防止し、購入した調味料を最後まで使い切れることである。また、残量の把握を容易にし、購入時期を正確に測れることである。
【００１３】
本発明のトレーのもう一つの利点は、振り出し口に目詰まりした調味料や内部側面へ固着した調味料をこそぎ落とす等の余分な作業負担を軽減できることである。
【００１４】
本発明のトレーのもう一つの利点は、引出し内部での円柱状体の小瓶の横転を防止できることである。
また、引出し内部の収納物を容易に把握し、整然とした収納を実現できることである。
【００１５】
本発明のもう一つの利点は、調味料やスパイス等の小瓶の他、買置き電池、非常用小型懐中電灯等の円柱状体にも応用することができることである。
【発明を実施するための最良の形態】
【００１６】
以下、本発明の一実施例を、添付の図面をもとに説明する。
【００１７】
図１は、トレー（１）を設置した引出し（２）を真上から見た状態を表す平面図である。トレーは、一つの形状や大きさで必要充分の調味料類を収納することができる。前記引出し（２）本体のスペースのうち、トレーは一部を占有することとする。残りのスペースを、魚焼き網や卵焼器等の浅い調理道具の収納場所として確保する。尚、トレーは引出し本体の左右どちらにも設置することができる。
【００１８】
トレーには、オプションで仕切り板（３）を取り付けることができる。トレーに設置した２箇所ずつの受け用の穴（４）に仕切り板（３）の凸状部をはめ込み、固定して使用する。
【００１９】
図２は引出し（２）にトレー（１）を設置した状態を表す側断面図である。
図３は引出し（２）にトレー（１）を設置した状態を表す側断面図に、傾斜角度を付け加えた詳細図である。
図４はトレーの傾斜底面（１１、１２）を表す斜視図である。
トレーは二つの傾斜底面（１１、１２）と引出し体の底板に平行の一つの平坦底面（１６）を有する。傾斜底面（１１、１２）においては、傾斜底面と傾斜側面（１４、１５）のなす角度は９０°である。このため、調味料小瓶を収まり良く収納することができる。また、二つの傾斜底面（１１、１２）を有するので、引出しの奥行き方向へ二列に円柱状体を収納でき、整理に便利である。
【００２０】
図５は引出し体前板の正面図である。
【００２１】
図６は本発明の一実施例を表す斜視図である。
引出し本体の右側にはトレー（１）を設置して調味料類の小瓶（９）を収納する。
調味料類の小瓶の振り出し口は、引出し奥行き方向へ向かって上向きに傾斜しているため、調味料の小瓶振り出し口への目詰まりや内部側面への固着を防止できる。
また、二つの傾斜底面に調味料類を二列に整理して並べることができ、引出し内部の美感を維持できる。
さらに残量や内容物も容易に把握できるので購入の無駄も省ける。
左側のスペースには浅型調理器具（１７）を収納する。柄付きの調理器具も収納できるように、トレーの側板（８）左右両端は、調味料が左右に転げ落ちないための必要分のみを残す。柄を載せてもトレーの最上段より高さが低いので、引出し部の出し入れに支障を来たさない。
【００２２】
図７は図６の応用事例に仕切り板（３）を取り付けた状態を表す。
調味料類等の小瓶は、使用頻度や用途（例えば和食用調味料、中華用スパイス、製菓用エッセンス等）に応じて仕切り板（３）で区切って使用できる。仕切り板（３）を用いれば、引出し内部の収納物、使用する調味料の位置が一目で分かる。仕切り板（３）に着色して使用すれば尚効果がある。
【図面の簡単な説明】
【００２３】
【図１】本発明のトレーを上から見た平面図である。
【図２】本発明のトレーの側断面図である。
【図３】本発明のトレーの側断面図に傾斜角度を付け加えた詳細図である。
【図４】本発明のトレーの傾斜底面を表した斜視図である。
【図５】本発明のトレーの設置される引出し体の正面図である。
【図６】本発明の一実施例を表す斜視図である。
【図７】本発明の一実施例を示す斜視図である。
【符号の説明】
【００２４】
１    トレー
２    引出し体
３    トレー仕切り板
４    トレー仕切り板受け穴
５    引出し把手
６    引出し前板
７    引出し奥板
８    トレー側板
９    調味料用小瓶
１１  傾斜底面
１２  傾斜底面
１３  傾斜側面
１４  傾斜側面
１５  傾斜側面
１６  平坦底面
１７  浅型調理器具
【図１】
2006181134.tif 000003
【図２】
2006181134.tif 000004
【図３】
2006181134.tif 000005
【図４】
2006181134.tif 000006
【図５】
2006181134.tif 000007
【図６】
2006181134.tif 000008
【図７】
2006181134.tif 000009